(57)【要約】【課題】簡易且つ安価な構成によって、マーキングを予め施すことなく、ビス打ち機を用いて所定のピッチでビスを精度良く順次容易に打ち込んでゆくことを可能にする釘打ち機用ピッチガイド治具を提供する。【解決手段】手打ち式のビス打ち機２０に取り付けて用いられて、ビス１１の打込み位置を釘打ち機用ピッチガイド治具１０であって、ビス打ち機２０のハウジング部２１への装着固定部１２と、この装着固定部１２から外側上方に立設して設けられる支柱部１３と、この支柱部１３の所定の目盛り位置からビス１１の打込み方向Ｘに延設して、先端部１４ａがビス打ち機２０の打込み中心軸Ｃから所定の間隔Ｙ離れた位置に配置されるガイドロッド部１４とからなる。【選択図】図１
2011212777.tif 000002
【特許請求の範囲】
【請求項１】
手打ち式の釘打ち機又はビス打ち機に取り付けて用いられて、釘又はビスの打込み位置を案内する釘打ち機用ピッチガイド治具であって、
前記釘打ち機又はビス打ち機のノーズ部又はハウジング部への装着固定部と、該装着固定部から外側に立設して設けられる支柱部と、該支柱部の所定の位置から前記釘又はビスの打込み方向に延設して、先端部が前記釘打ち機又はビス打ち機の打込み中心軸から所定の間隔離れた位置に配置されるガイドロッド部とからなる釘打ち機用ピッチガイド治具。
【請求項２】
前記支柱部にピッチ目盛りが施されている請求項１記載の釘打ち機用ピッチガイド治具。
【請求項３】
前記ガイドロッド部は、その基端部がスライド移動可能に前記支柱部に接合されている請求項１又は２記載の釘打ち機用ピッチガイド治具。
【請求項４】
前記支柱部は、前記装着固定部に対して回動可能に取り付けられている請求項１〜３の何れかに記載の釘打ち機用ピッチガイド治具。
【請求項５】
前記ガイドロッド部は、その先端部に墨出し手段を備えている請求項１〜４の何れかに記載の釘打ち機用ピッチガイド治具。
【発明の詳細な説明】
【技術分野】
【０００１】
本発明は、釘打ち機用ピッチガイド治具に関し、特に手打ち式の釘打ち機又はビス打ち機に取り付けて用いられて、釘又はビスの打込み位置を案内する釘打ち機用ピッチガイド治具に関する。
【背景技術】
【０００２】
例えば住宅建築物等の建物の工事現場では、各種の面状の下地材や仕上材、或いはその他の種々の部材を取り付けるために、手打ち式の釘打ち機やビス打ち機が用いられる。これらの釘打ち機やビス打ち機としては、例えばトリガーの操作によって釘打ち機内にエアーを送り込み、ドライバーを前進させて釘の頭を打撃することで、釘を打込み箇所に打ち込むようにしたものや（例えば、特許文献１）、釘打ち作動やネジ締め作動を行わせる駆動機構を収容しているハウジングと、釘やネジ（ビズ）を打込み箇所に向けて案内させる射出口が設けられたノーズ部とを備えており、射出口内に配置された釘やネジ（ビス）を駆動機構を介して射出口から打ち出して、ノーズ部の先端の打込み箇所に打ち込むようにしたものが一般的に知られている（例えば、特許文献２参照）。
【０００３】
また、これらの釘打ち機やビス打ち機では、釘やビスを所定のピッチで下地材等の打込み対象物に精度良く打ち込んで行く必要があるため、墨出器等を使用して打込み対象物に基準線を引き、更に定規を使用して基準線上に所定のピッチでマーキングを施した後に、マーキングされた打込み箇所に釘やビスを打ち込むようになっていたが、基準線上に所定のピッチでマーキングを施す作業に多くの手間を要することになる。
【０００４】
このため、例えば特許文献２では、ノーズ部の射出口の軸線から所定距離離れた打込み対象物の表面にレーザー光等のスポット状の光線を照射する、レーザー照射手段等の光学的手段を、ブラケットを介してハウジングの後部上方に取り付け、光学的手段から照射されるスポット状の光線を直前に打ち込まれたビスに照射しながら次のビスを打ち込むことで、基準線上にマーキングを施さなくても、所定のピッチでビスを順次打ち込んでゆくことができるようになっている。
【先行技術文献】
【特許文献】
【０００５】
【特許文献１】特開２００９−２４８２２３号公報
【特許文献２】特開２００６−２３９７８３号公報
【発明の概要】
【発明が解決しようとする課題】
【０００６】
一方、特許文献２のレーザー照射手段等の光学的手段を用いた釘打ち機やビス打ち機では、その構成が複雑且つ高価になると共に、スポット状の光線を対象物の表面に精度良く照射させるための調整が容易でないことから、より簡易且つ安価な手段によって、予めマーキングを施すことなく、釘打ち機又はビス打ち機を用いて所定のピッチで釘又はビスを精度良く順次容易に打ち込んでゆくことができるようにする新たな技術の開発が望まれている。
【０００７】
本発明は、簡易且つ安価な構成によって、マーキングを予め施すことなく、釘打ち機又はビス打ち機を用いて所定のピッチで釘又はビスを精度良く順次容易に打ち込んでゆくことを可能にする釘打ち機用ピッチガイド治具を提供することを目的とする。
【課題を解決するための手段】
【０００８】
本発明は、手打ち式の釘打ち機又はビス打ち機に取り付けて用いられて、釘又はビスの打込み位置を案内する釘打ち機用ピッチガイド治具であって、
前記釘打ち機又はビス打ち機のノーズ部又はハウジング部への装着固定部と、該装着固定部から外側に立設して設けられる支柱部と、該支柱部の所定の位置から前記釘又はビスの打込み方向に延設して、先端部が前記釘打ち機又はビス打ち機の打込み中心軸から所定の間隔離れた位置に配置されるガイドロッド部とからなる釘打ち機用ピッチガイド治具を提供することにより、上記目的を達成したものである。
【０００９】
また、本発明の釘打ち機用ピッチガイド治具は、前記支柱部にピッチ目盛りが施されていることが好ましい。
【００１０】
さらに、本発明の釘打ち機用ピッチガイド治具は、前記ガイドロッド部が、その基端部がスライド移動可能に前記支柱部に接合されていることが好ましい。
【００１１】
さらにまた、本発明の釘打ち機用ピッチガイド治具は、前記支柱部が、前記装着固定部に対して回動可能に取り付けられていることが好ましい。
【００１２】
また、本発明の釘打ち機用ピッチガイド治具は、前記ガイドロッド部は、その先端部に墨出し手段を備えていることが好ましい。
【発明の効果】
【００１３】
本発明の釘打ち機用ピッチガイド治具によれば、簡易且つ安価な構成によって、予めマーキングを施さなくても、釘打ち機又はビス打ち機を用いて所定のピッチで釘又はビスを精度良く順次容易に打ち込んでゆくことを可能にすることができる。
【図面の簡単な説明】
【００１４】
【図１】本発明の好ましい一実施形態に係る釘打ち機用ピッチガイド治具を取り付けた釘打ち機の側面図である。
【図２】本発明の好ましい一実施形態に係る釘打ち機用ピッチガイド治具の、（ａ）は斜視図、（ｂ）は側面図である。
【発明を実施するための形態】
【００１５】
本発明の好ましい一実施形態に係る釘打ち機用ピッチガイド治具１０は、手打ち式の釘打ち機又はビス打ち機として、例えば図１に示すようなビス打ち機２０に取り付けて用いられ、例えば縦枠部材３０に支持させて壁下地用面材としての合板３１を壁面に沿って固定するべく、例えば合板３１に描かれた基準線に沿って、例えば５０〜２００ｍｍ程度の所定のピッチでビス１１を打ち込んでゆく際に、予めマーキングを施すことなく、上部から下部に向けて効率良く迅速にビス１１を順次打込んでゆくことができるようにするために採用されたものである。
【００１６】
すなわち、本実施形態の釘打ち機用ピッチガイド治具１０は、手打ち式のビス打ち機２０に取り付けて用いられて、ビス１１の打込み位置を案内するガイド治具であって、図２（ａ），（ｂ）にも示すように、ビス打ち機２０のハウジング部２１への装着固定部１２と、この装着固定部１２から外側上方に立設して設けられる支柱部１３と、この支柱部１３の所定の位置からビス１１の打込み方向Ｘに延設して、先端部１４ａがビス打ち機２０の打込み中心軸Ｃから所定の間隔Ｙ離れた位置に配置されるガイドロッド部１４とからなる。
【００１７】
ここで、本実施形態では、ビス打ち機２０は、例えば特開２００６−２３９７８３号公報に記載の公知の装置であり、後部にグリップ部２２が一体に形成されたハウジング部２１と、ハウジング部２１の前部に設けられた、ビス１１を打込み対象物（合板３１）に向けて案内する射出口２３を有するノーズ部２４を含んで構成される。また、ノーズ部２４の下方には多数のビス１１を収容するマガジン２５が連結されており、ネジ供給機構２６によってマガジン２５内に装填されたビス１１がノーズ部２４の射出口２３内へ順次供給されるようになっている。さらに、マガジン２５の後方にはエアモータ２７が配置されており、減速機構を介してハウジング部２１に収容されているドライバビットを回転駆動させるようになっている。さらにまた、ノーズ部２４の先端部には打込み対象物の表面と当接されて作動されるコンタクト部材２８が射出口２３の先端方向に突出して配置されており、このコンタクト部材２８を打込み対象物の表面に押し当てて、グリップ部２２の基部のトリガレバー２９を操作することによってビス１１を打込むようになっている。
【００１８】
一方、ハウジング部２１内にはエアモータ２７によって回転駆動されるピストンが収容されており、このピストンを介してドライバビットを射出口２３内で推進作動させ、ドライバビットの先端を射出口２３内に供給されたビス１１の頭部と係合させてビス１１を射出口２３内で先端方向に推進させると共に、ドライバビットをエアモータ２７によって回転してビス１１に回転力を与えることで、打込み対象物にビス１１をねじ込むようになっている。
【００１９】
そして、本実施形態の釘打ち機用ピッチガイド治具１０は、上述のようなビス打ち機２０のハウジング部２１に装着固定されて用いられる。
【００２０】
本実施形態の釘打ち機用ピッチガイド治具１０を構成する装着固定部１２は、図２（ａ），（ｂ）に示すように、中空円筒状のピン軸によるピン接合部１５を介して互いに回転可能に連結された、ハウジング部２１の外周面に沿った内周面形状を有する金属製又は合成樹脂製の一対の把持片１２ａ，１２ａからなる。これらの一対の把持片１２ａ，１２ａには、ピン接合部１５を挟んだ反対側に延設して、締付け片１２ｂ，１２ｂが一体として設けられている。一対の締付け片１２ｂ，１２ｂの上端部は、互いに対向するように上方に折れ曲がっていて、これらの対向する折曲り部分には、一方に雄ネジ挿通孔が、他方に雄ネジ螺着孔１２ｃが各々開口形成されている。また、雄ネジ部材１６が、一方の折曲り部分の雄ネジ挿通孔から挿通され、先端側を他方の折曲り部分の雄ネジ螺着孔１２ｃに螺着することによって取り付けられている。
【００２１】
そして、雄ネジ部材１６を締め付けることによって一対の締付け片１２ｂ，１２ｂが近接する方向に移動することで、ピン接合部１５を挟んだ反対側に配置される一対の把持片１２ａ，１２ａに、ハウジング部２１の外周面に沿って装着固定部１２を装着固定する際の相当の把持力を付与できるようになっていると共に、雄ネジ部材１６を締め付けを緩めることによって一対の締付け片１２ｂ，１２ｂが離れる方向に移動することで、一対の把持片１２ａ，１２ａによる把持力が解放されて、ピッチガイド治具１０を容易に取り外すことができるようになっている。
【００２２】
また、本実施形態では、一対の把持片１２ａ，１２ａの内側面に沿って、例えばウレタンゴムからなるクッション材１７が取り付けられており、装着固定部１２を装着固定した際にハウジング部２１の外周面を傷つけないようになっている。
【００２３】
本実施形態では、釘打ち機用ピッチガイド治具１０を構成する支柱部１３は、金属製又は合成樹脂製の部材であって、ピン接合部１５の中空円筒状のピン軸に回転可能に挿通された軸ロッド１９に、一体として接合されている。また、軸ロッド１９の装着固定部１２を挟んだ支柱部１３とは反対側の端面には、雄ネジ部１９ａが突出して設けられている。この雄ネジ部１９ａに雌ネジ部材１９ｂを螺合して締め付けることにより、支柱部１３を、軸ロッド１９を中心とした任意の放射方向に立設させた状態で固定することができるようになっている。また、雌ネジ部材１９ｂによる締め付けを開放して、支柱部１３が立設する方向を適宜調整した後に、再び雌ネジ部材１９ｂを締め付けることで、支柱部１３を調整後の角度位置に容易に固定し直すことができるようになっている。
【００２４】
本実施形態では、支柱部１３は、装着固定部１２の中心軸を中心とする放射方向外側に延設すると共に、上方に立設した状態で固定される。また、支柱部１３には、装着固定部１２の中心軸からの距離に応じたピッチ目盛り１３ａが描かれている。装着固定部１２を、これの中心軸がビス打ち機２０の打込み中心軸Ｃと合致するようにハウジング部２１に装着固定することにより、支柱部１３に描かれたピッチ目盛り１３ａにガイドロッド部１４を位置合わせすることで、後述するように、ガイドロッド部１４によってビス１１が所定のピッチで打ち込まれるように案内することができるようになっている。さらに、本実施形態では、ピッチ目盛り部１３には、ガイドロッド部１４が、スライド基台１７を介して上下にスライド移動可能に取り付けられている。
【００２５】
ガイドロッド部１４は、金属製又は合成樹脂製の細長い円柱ロッド状の部材であって、その基端部１４ｂがスライド基台１７に一体として接合されることにより、装着固定部１２の中心軸と平行な方向に延設して取り付けられる。ガイドロッド部１４は、ビス打ち機２０のハウジング部２１への取り付け位置とコンタクト部材２８の先端との間の長さに対応する、例えば８０〜１５０ｍｍ程度の長さを有している。また、ガイドロッド部１４は、入れ子スリーブ構造等を介して長さを調整可能に、或いはバネ部材等を介して長さを伸縮可能に構成することもでき、その先端部１４ａに、墨を出せる鉛筆、カルコ等の墨出し手段を設けておくこともできる。
【００２６】
スライド基台１７は、金属製又は合成樹脂製の六面体形状の部材であって、その一側面に基端部１４ｂが接合されてガイドロッド部１４が側方に突出していると共に、上下に貫通してスライド挿通孔が形成されている。このスライド挿通孔を介して、スライド基台１７及びガイドロッド部１４が、支柱部１３にスライド移動可能に接合される。また、スライド基台１７の他の一側面には、スライド挿通孔と交差して形成された雌ネジ孔が設けられており、この雌ネジ孔に螺着された固定ネジ１８を締め付けることで、スライド基台１７及びガイドロッド部１４を、支柱部１３に沿った所定の高さ位置に適宜固定することができるようになっている。
【００２７】
上述の構成を有する本実施形態のピッチガイド治具１０をビス打ち機２０に取り付けて、例えば合板３１に描かれた基準線に沿って所定のピッチでビス１１を順次打ち込んでゆくには、図１に示すように、ビス打ち機２０のハウジング部２１の所定の位置に、装着固定部１２を介してピッチガイド治具１０を、好ましくは装着固定部１２の中心軸をビス打ち機２０の打込み中心軸Ｃと合致させてハウジング部２１に装着固定すると共に、例えばスライド基台１７の下面をピッチ目盛り部１３の所定の目盛り１３ａに合致させることで、ガイドロッド部１４及びこれの先端部１４ａをビス打ち機２０の打込み中心軸Ｃから所定の間隔（所定のピッチ）Ｙ離れた位置に配置する。しかる後に、ガイドロッド部１４の先端部１４ａを直前に打ち込まれた直上のビス１１に位置合わせしながら、次のビス１１を打ち込むことで、予めマーキングを施さなくても、所定のピッチでビス１１を上方から下方に向けて精度良く順次打ち込んでゆくことが可能になる。
【００２８】
また、本実施形態では、ガイドロッド部１４は、その基端部１４ｂがスライド移動可能に支柱部１３に接合されているので、装着固定部１２の中心軸をビス打ち機２０の打込み中心軸Ｃと合致させてハウジング部２１に装着固定することができない場合でも、例えば合板３１の表面に所定のピッチに相当する間隔で一対の目印を付けておき、ビス打ち機２０の駆動を停止してこれの射出口２３を一方の目印に位置合わせした状態で、他方の目印にガイドロッド部１４の先端部１４ａが位置合わせされるように基端部１４ｂを支柱部１３に沿ってスライド移動させて固定することで、ガイドロッド部１４の先端部１４ａをビス打ち機２０の打込み中心軸Ｃから所定のピッチ離れた位置に配置して、所定のピッチで精度良くビス１１を順次打ち込んでゆくことを可能することができる。
【００２９】
さらに、本実施形態では、支柱部１３は、装着固定部１２に対して回動可能に取り付けられているので、ビス１１を斜め方向に順次打ち込んで行く場合でも、例えば合板３１の表面に所定のピッチに相当する間隔で一対の目印を付けておき、ビス打ち機２０の駆動を停止してこれの射出口２３を一方の目印に位置合わせした状態で、他方の目印にガイドロッド部１４の先端部１４ａが位置合わせされるように、支柱部１３を装着固定部１２に対して回動させると共に、基端部１４ｂを支柱部１３に沿ってスライド移動させて固定することで、ガイドロッド部１４の先端部１４ａをビス打ち機２０の打込み中心軸Ｃから斜め方向に所定のピッチ離れた位置に配置して、所定のピッチで斜め方向に精度良くビス１１を順次打ち込んでゆくことを可能することができる。
【００３０】
すなわち、本実施形態の釘打ち機用ピッチガイド治具１０によれば、装着固定部１２と支柱部１３とガイドロッド部１４とからなる簡易且つ安価な構成によって、予めマーキングを施さなくても、ビス打ち機２０を用いて所定のピッチでビス１１を精度良く順次容易に打ち込んでゆけるようにすることができる。
【００３１】
また、本実施形態によれば、ガイドロッド部１４の先端部１４ａに墨出し手段を設けておくことで、例えばビス１１を下方から上方に向けて順次打ち込んでゆく場合に、直下のビス１１を打ち込む際に、先端部１４ａの墨出し手段手段によって、直後の直上のビス１１の打ち込み位置をマーキングすることが可能になり、これによって、予めマーキングを施さなくても、所定のピッチでビス１１を下方から上方に向けて精度良く順次打ち込んでゆくことが可能になる。
【００３２】
なお、本発明は上記実施形態に限定されることなく種々の変更が可能である。例えば本発明の釘打ち機用ピッチガイド治具は、ビスを打ち込むビス打ち機のみならず、釘を打ち込む釘打ち機に取り付けて用いることもできる。また、装着固定部を介した釘打ち機やビス打ち機への取り付け位置は、ハウジング部である必要は必ずしも無く、例えば打ち込み時にノーズ部が移動しない装置である場合には、当該ノーズ部に取り付けて用いることもできる。さらに、ガイドロッド部は、スライド移動可能に支柱部に接合されている必要は必ずしもなく、例えば支柱部の目盛り方向に複数のロッド係合孔を設けておき、所定のピッチに対応するロッド係合孔を選択してガイドロッド部を係合することで、ガイドロッド部の先端部によって釘やビスの打込み位置を案内させるようにすることもできる。さらにまた、支柱部を横方向や斜め方向に立設させてガイドロッド部を取り付けることで、釘やビスを横方向や斜め方向に向けて所定のピッチで順次打ち込めるようにすることもでき、予め基準線を描いておくことなく、任意の方向に所定のピッチで釘やビスを順次打ち込んでゆくこともできる。
【符号の説明】
【００３３】
１０  釘打ち機用ピッチガイド治具
１１  ビス
１２  装着固定部材
１２ａ  把持片
１３  支柱部
１４  ガイドロッド部
１５  ピン接合部
１６  雄ネジ部材
１７  クッション材
１８  固定ネジ
２０  ビス打ち機
２１  ハウジング部
Ｃ    ビス打ち機の打込み中心軸
Ｘ    打込み方向
Ｙ    打込み中心軸からの所定の間隔（所定のピッチ）
【図１】
2011212777.tif 000003
【図２】
2011212777.tif 000004